(57)【要約】【課題】掛け寝具などの重量が掛かっても暖気が溜まる適度な内部空間を保持することができる暖かい足入れポケット及び足入れポケット付き寝具を提供する。【解決手段】寝具１は就寝者が両足を入れるための足入れポケット３を有し、足入れポケット３は、布体２と、両足を入れられるようにポケット状に布体２に取り付けられている足覆い布片１１とを備え、足覆い布片１１には、ポケット状の入口部２１に第１のギャザー１２が形成され、ポケット状の中間部２２に第２のギャザー１３が形成され、ポケット状の奥部２３に第３のギャザー１４が形成されているものである。【選択図】図１
0003209110.tif 000002
【実用新案登録請求の範囲】
【請求項１】
就寝者が両足を入れるための足入れポケットであって、
布体と、両足を入れられるようにポケット状に前記布体に取り付けられている足覆い布片とを備え、
前記足覆い布片には、ポケット状の入口部に第１のギャザーが形成され、ポケット状の中間部に第２のギャザーが形成され、ポケット状の奥部に第３のギャザーが形成されていることを特徴とする足入れポケット。
【請求項２】
前記第１のギャザー及び前記第２のギャザーが、ゴム付きギャザーであることを特徴とする請求項１に記載の足入れポケット。
【請求項３】
前記足覆い布片は、ポケット状の一方の横部が前記布体に固定されておらず開口していることを特徴とする請求項１又は２に記載の足入れポケット。
【請求項４】
請求項１から３のいずれかに記載の足入れポケットの前記布体が、就寝者の下に敷かれる又は就寝者の上に掛けられる寝具本体を兼用していることを特徴とする足入れポケット付き寝具。
【請求項５】
前記足覆い布片の前記入口部の横幅が、前記寝具本体の短辺方向の横幅よりも狭い幅で形成されていることを特徴とする請求項４に記載の足入れポケット付き寝具。
【考案の詳細な説明】
【技術分野】
【０００１】
本考案は、就寝者が足を入れるための防寒用の足入れポケット及び足入れポケット付き寝具である。
【背景技術】
【０００２】
就寝者は、冬季等の寒いときに布団の他に毛布などの防寒用の寝具を使用する。特に足先は冷え易いため、足先を入れる足入れポケット付きの寝具や足入れポケット単体を使用することが行われている。
【０００３】
特許文献１には、掛け寝具や敷き寝具に足入れポケットが取り付けられている足入れポケット付き寝具が記載されている。この足入れポケットは、長方形の平坦な布製である。
【０００４】
特許文献２には、寝具の任意の位置にセットできる補助ポケット寝具（足入れポケットの一例）が記載されている。この足入れポケットは、アーチ形に開口する布製である。
【先行技術文献】
【特許文献】
【０００５】
【特許文献１】特開平７−２５０７５０号公報
【特許文献２】実開平６−１１５６９号公報
【考案の概要】
【考案が解決しようとする課題】
【０００６】
足入れポケットの内部空間では、足が発する熱によって足の周囲の空気が暖められる。足入れポケットは、足によって暖められた暖気が逃げにくく、暖気が溜まる適度な広さの内部空間を保持できることが必要である。
【０００７】
特許文献１及び特許文献２に記載された足入れポケットは、平坦な布製又はアーチ形の布製のため、掛け寝具などの重量でポケットが押し潰されてしまい、暖気が溜まる適度な内部空間が確保されず、暖かくなり難いという課題がある。
【０００８】
本考案は、前記の課題を解決するためになされたもので、掛け寝具などの重量が掛かっても暖気が溜まる適度な内部空間を保持することができる暖かい足入れポケット及び足入れポケット付き寝具を提供することを目的とする。
【課題を解決するための手段】
【０００９】
前記の目的を達成するためになされた本考案の足入れポケットは、就寝者が両足を入れるための足入れポケットであって、布体と、両足を入れられるようにポケット状に前記布体に取り付けられている足覆い布片とを備え、前記足覆い布片には、ポケット状の入口部に第１のギャザーが形成され、ポケット状の中間部に第２のギャザーが形成され、ポケット状の奥部に第３のギャザーが形成されていることを特徴とする。
【００１０】
請求項２に記載された足入れポケットは、請求項１に記載のものであり、前記第１のギャザー及び前記第２のギャザーが、ゴム付きギャザーであることを特徴とする。
【００１１】
請求項３に記載された足入れポケットは、請求項１又は２に記載のものであり、前記足覆い布片は、ポケット状の一方の横部が前記布体に固定されておらず開口していることを特徴とする。
【００１２】
請求項４に記載された足入れポケット付き寝具は、請求項１から３のいずれかに記載の足入れポケットの前記布体が、就寝者の下に敷かれる又は就寝者の上に掛けられる寝具本体を兼用していることを特徴とする。
【００１３】
請求項５に記載された足入れポケット付き寝具は、請求項４に記載のものであり、前記足覆い布片の前記入口部の横幅が、前記寝具本体の短辺方向の横幅よりも狭い幅で形成されていることを特徴とする。
【考案の効果】
【００１４】
本考案の足入れポケットは、ポケット状に布体に取り付けられている足覆い布片の入口部に第１のギャザーが形成され、中間部に第２のギャザーが形成され、奥部に第３のギャザーが形成されていることにより、第１のギャザーと第２のギャザーとの間にひだ部が出来ると共に、第２のギャザーと第３のギャザーとの間にひだ部が出来る。これらひだ部の形状がしっかりとできて潰れ難いため、掛け寝具などの重量を掛けても暖気が溜まる適度な内部空間を保持することができる。したがって、暖かな足入れポケットとすることができる。
【００１５】
第１のギャザー及び第２のギャザーがゴム付きギャザーである場合、伸縮性があるので、足にフィットして入口部に隙間が生じにくく、ひだ部が足に近くなるので暖気がひだ部に溜まりやすく、足入れポケット内が暖かくなり易い。
【００１６】
足覆い布片のポケット状の一方の横部が布体に固定されておらず開口している場合、足入れポケットの横方向から足を曲げずに伸ばしたまま入れることができるため、例えば足を曲げることが困難な人であっても、簡単に使用することができる。
【００１７】
布体が就寝者の下に敷かれる又は就寝者の上に掛けられる寝具本体を兼用している場合、足入れポケットが寝具と一体化するため、暖かい寝具とすることができる。足覆い布片の入口部の横幅が寝具本体の短辺方向の横幅よりも狭い幅で形成されている場合、寝具本体の横幅と同じ幅で形成されている場合と比較して、足入れポケットの内部空間が狭くなるため、一層暖かくなり易く、内部の暖気が逃げにくい。又、入口部の横幅が狭い方が、足で入口部を奥部側に蹴って押しやって（押し広げて）しまうことがないため、好ましい。又、足覆い布片の生地が少なく済むため、入口部の横幅は狭い方が好ましい。
【図面の簡単な説明】
【００１８】
【図１】本考案を適用する足入れポケット付き寝具を示す平面図である。
【図２】本考案を適用する足入れポケット付き寝具の使用状態を模式的に示す側面図である。
【図３】本考案を適用する別の足入れポケット付き寝具を示す平面図である。
【図４】本考案を適用する足入れポケットを示す（ａ）平面図、（ｂ）底面図である。
【図５】本考案を適用する足入れポケットの使用状態を模式的に示す側面図である。
【考案を実施するための形態】
【００１９】
以下、本考案を実施するための形態を詳細に説明するが、本考案の範囲はこれらの形態に限定されるものではない。
【００２０】
図１に、本考案を適用する足入れポケット付き寝具１の平面図を示す。この足入れポケット付き寝具１は、本考案を適用する足入れポケット３を備えている。足入れポケット３は、就寝者９０が両足９１（共に図２参照）を入れるためのものである。足入れポケット３は、両足９１を入れられるように、布体２に足覆い布片１１がポケット状に取り付けられて形成されている。
【００２１】
布体２は、一例として、就寝者９０（図２参照）の下に敷かれる寝具（敷き寝具）本体を兼用している。そのため、以下では布体２を寝具本体２ともいう。寝具本体２は、例えば、敷き毛布、敷布、又は敷布団である。
【００２２】
足覆い布片１１は、寝具本体２よりも小さな布片であり、一例として四角形状（長方形状又は正方形状）に形成されている。
【００２３】
足覆い布片１１は、足入れポケット３が寝具本体２の上端側（図の左端側）に開口する入口部２１を形成するように、足覆い布片１１（足入れポケット３）の一方の横部２４、他方の横部２５、及び奥部２３の三方が、寝具本体２に縫い付けられて取り付けられている。同図には、縫い目を破線で示している。同図中の矢印４１が足を入れる方向を示している。
【００２４】
足覆い布片１１の横幅（入口部２１の横幅）が、寝具本体２の短辺方向の横幅よりも狭い幅で形成されている。足覆い布片１１は、足入れポケット３内で、寝返りしたり足を動かしたりできる程度の任意の大きさに形成されている。一例として、入口部２１の横幅は、４０〜９０ｃｍ程度である。
【００２５】
足覆い布片１１の横幅（入口部２１の横幅）が狭い方が、足入れポケット３の内部が暖まり易く、内部の暖気が逃げ難いため、好ましい。足覆い布片１１の横幅（入口部２１の横幅）が、仮に寝具本体２の横幅と同じ幅で形成されている場合、入口部２１が広いので伸びやすくなり、足で入口部２１を奥部２３側に蹴って押しやってしまうことがあるため、入口部２１の横幅は狭い方が好ましい。又、足覆い布片１１の生地が少なく済むため、入口部２１の横幅は狭い方が好ましい。
【００２６】
足覆い布片１１は、例えば、毛布材、綿入り布材又はキルティング材で形成されている。足覆い布片１１が表裏のある毛布材などの場合、足が暖かいように、毛が有る表側が足入れポケット３の内側に向く向きで、足覆い布片１１が寝具本体２に取り付けられている。
【００２７】
足覆い布片１１の奥部２３側の端部は、一例として、寝具本体２の下端部（図の右側端部）に位置合わせして縫い付けられている。足覆い布片１１は、寝具本体２の長手方向の中心線Ｃ上に、足覆い布片１１の中心線Ｐがほぼ重なるように、寝具本体２に縫い付けられている。なお、寝具本体２に足覆い布片１１を付ける位置（足入れポケット３を付ける位置）は任意である。
【００２８】
本考案の特徴として、足覆い布片１１には、ポケット状の入口部２１に第１のギャザー１２が形成され、ポケット状の中間部２２に第２のギャザー１３が形成され、ポケット状の奥部２３に第３のギャザー１４が形成されている。ギャザーとは、布を縫い縮めて寄せたひだのことである。中間部２２は、同図では入口部２１と奥部２３との真ん中辺りの位置を示しているがこれに限定されず、足入れポケット３の入口部２１と奥部２３との間の任意の位置でよい。
【００２９】
入口部２１のギャザー１２、及び中間部２２のギャザー１３は、ゴム付きギャザーであることが好ましい。奥部２３のギャザー１４がゴム付きギャザーであってもよい。ゴム付きギャザーは、ゴムギャザー、ゴムシャーリングとも言われている。ゴム付きギャザーとは、ゴム帯又はゴム紐を伸ばしつつ足覆い布片１１に縫い付け、そのゴムが縮むことでギャザーを形成したものである。ゴム付きギャザーには伸縮性がある。
【００３０】
足覆い布片１１にギャザー１２〜１４を予め形成しておいてから、足覆い布片１１を寝具本体２に縫い付ける。なお、ギャザー１４は、寝具本体２に縫い付けるときに形成してもよい。
【００３１】
ギャザー１２〜１４は、一例として、足覆い布片１１（入口部２１、中間部２２、奥部２３）の中央部に、足覆い布片１１の横幅の１／２程度の長さで形成されている。ギャザー１２〜１４の長さに限定はない。ギャザー１２〜１４の長さは、足覆い布片１１の横幅の１／３よりも長い長さで形成されていることが好ましく、１／２程度であることが好ましい。足覆い布片１１の横幅の３／４よりも長い長さで形成されていてもよいし、足覆い布片１１の横幅の全体に渡ってギャザー１２〜１４が形成されていてもよい。ギャザー１２〜１４の長さが各々異なっていてもよいが、ギャザー１２〜１４が同じ長さである方が好ましい。
【００３２】
ギャザー１２及びギャザー１３部分の足覆い布片１１が縮められているため、ギャザー１２とギャザー１３との間の足覆い布片１１も縮められて、不定形なひだ形状（山、谷、山、谷・・・）を形成するひだ部１５になっている。同様に、ギャザー１３及びギャザー１４部分の足覆い布片１１が縮められているため、ギャザー１３とギャザー１４との間の足覆い布片１１も縮められて、不定形なひだ形状を形成するひだ部１６になっている。
【００３３】
図２に、足入れポケット付き寝具１の使用状態を模式的に示す。同図は、足入れポケット付き寝具１及びそこに横たわる就寝者９０を横方向（側面方向）から観察した図である。同図には、就寝者９０に掛けられている掛け寝具９８を二点鎖線で図示している。
【００３４】
就寝者９０は、寝具本体２に横たわり、足入れポケット３に両方の足９１を膝下辺りまで入れている。足先は足入れポケット３の奥部２３近くまで入っている。
【００３５】
本考案の特徴は、入口部２１、中間部２２及び奥部２３の３か所にギャザー１２〜１４が形成されていることである。仮に、中間部２２及び奥部２３にギャザー１３及びギャザー１４が形成されておらず、入口部２１にだけギャザー１２が形成されている場合には、ひだ部１５のひだ形状は、奥部２３に向かって緩やかに消えていくような形状になる。又、ひだ部１５の長さ（足入れポケット３の深さ方向の長さ）が長くなる。そのため、ひだ部１５の山（ひだ形状）の強度が弱くなって潰れやすくなる。一方、本考案のように、３か所にギャザー１２〜１４を設けることで、ひだ部１５及びひだ部１６が独立して形成されると共に、ひだ部１５及びひだ部１６の長さが短くなる。そのため、ひだ部１５及びひだ部１６の各々のひだ形状がしっかりと形成され、各々の山（ひだ形状）の強度が強くなって、押し潰され難くなる。ひだ部１５及びひだ部１６は、足９１に近く位置しており、ひだの間には空気が溜まる。
【００３６】
したがって、掛け寝具９８などを掛けたときの重量でひだ部１５及びひだ部１６が潰れ難くひだ形状を維持でき、ひだ部１５及びひだ部１６のひだの間が暖気の溜まる適度な広さの内部空間になるため、足入れポケット３内は足９１の発熱でとても暖かくなる。
【００３７】
入口部２１にはギャザー１２が形成されているので、入口部２１は必要以上に開口せず、足９１との間に隙間が生じ難い。したがって、入口部２１から足入れポケット３内の暖気が逃げ難くなっている。ギャザー１２がゴム付きギャザーである場合には、より隙間が生じ難くなり、暖気がより逃げ難くなるため、好ましい。又、ギャザー１２がゴム付きギャザーである場合には、ギャザー１２が伸縮するため、足入れポケット３に足９１を入れやすく、内部で足９１を動かし易くなるため、好ましい。
【００３８】
中間部２２にはギャザー１３が形成されているので、ひだ部１５及びひだ部１６が足９１に近くなる。ギャザー１３がゴム付きギャザーである場合には、ギャザー１３部分がゴムの弾性力で伸縮して足９１により近くなる。そのため、ひだ形状の中の空気が足９１の発熱でより暖まり易くなるため、好ましい。又、ギャザー１３がゴム付きギャザーである場合には、ギャザー１３が伸縮して足入れポケット３に足９１を入れ易く、内部で足９１を動かし易いため、好ましい。
【００３９】
奥部２３のギャザー１４は、寝具本体２に縫い付けられて固定されるため、ゴム付きギャザーでなくてもよいが、ゴム付きギャザーであってもよい。
【００４０】
足入れポケット３の深さ（足覆い布片１１の縦幅）は任意であるが、同図に示すように、足９１のふくらはぎが足入れポケット３内に入る深さで形成することが好ましい。ふくらはぎは発熱量が大きいため、足入れポケット３内にふくらはぎを入れると内部が暖かくなり易い。又、足入れポケット３は、膝のすぐ下辺りまで足９１が入る深さで形成することが好ましい。足入れポケット３内が暑くなったときに、足入れポケット３の深さが膝下までであると、足入れポケット３から足９１を簡単に出し易い。
【００４１】
なお、寝具本体２が敷き毛布などの敷き寝具である例について説明したが、寝具本体２が就寝者９０（図２参照）の上に掛けられる寝具（掛け寝具）であってもよい。掛け寝具は、例えば、掛け毛布、掛け蒲団カバー、又は掛け蒲団である。寝具本体２が掛け寝具である場合、足入れポケット３が掛け寝具の下側（就寝者９０側）に位置する向きで使用すればよい。この場合、ひだ部１５及びひだ部１６が足（ふくらはぎ）の下に位置するが、各々のひだ形状がしっかりと形成されているため、ひだ部１５及びひだ部１６が押し潰され難く、ひだの間が暖気の溜まる適度な広さの内部空間になるため、足入れポケット３内は足９１の発熱でとても暖かくなる。
【００４２】
次に、本考案を適用する別の足入れポケット付き寝具１ａについて説明する。
【００４３】
図３に、本考案を適用する足入れポケット付き寝具１ａの平面図を示す。なお、既に説明した構成と同様の構成については同じ符号を付して詳細な説明を省略する。
【００４４】
足入れポケット付き寝具１ａは、足入れポケット３ａになる足覆い布片１１の一方の横部２４が寝具本体２に縫い付けられておらず固定されていない点が、既に説明した足入れポケット付き寝具１と異なっている。
【００４５】
つまり、足覆い布片１１は、他方の横部２５及び奥部２３の二方が寝具本体２に縫い付けられて固定されている。同図に、縫い目を破線で示している。したがって、足入れポケット３ａは、入口部２１が開口すると共に、一方の横部２４が開口している。同図中の矢印４１及び矢印４２は、足を入れられる方向を示している。
【００４６】
足入れポケット３ａの入口部２１だけでなく、一方の横部２４からも足を入れられるようにすると、横から足入れポケット３ａ内に足を滑らせて入れることができる。そのため、例えば高齢者のように足を曲げにくい人であっても、延ばしたまま足入れポケット３ａに簡単に足を入れることができる。
【００４７】
足入れポケット３ａの一方の横部２４が開口していても、足を入れた状態で一方の横部２４は寝具本体２に接している。さらに一方の横部２４に掛け寝具（図２参照）が上から掛けられて寝具本体２に押し付けられる。そのため、使用時には一方の横部２４は閉じた状態になっている。したがって、暖気は外部に逃げず、足入れポケット３ａ内は、足入れポケット３と同様にとても暖かくなる。
【００４８】
次に、本考案を適用する足入れポケット３ｂについて説明する。
【００４９】
図４に、本考案を適用する足入れポケット３ｂを示す。同図（ａ）は、足入れポケット３ｂの表側を示す平面図である。同図（ｂ）は、足入れポケット３ｂの裏側を示す底面図である。なお、既に説明した構成と同様の構成については同じ符号を付して詳細な説明を省略する。
【００５０】
既に説明した足入れポケット付き寝具１は、布体２が敷き寝具又は掛け寝具を兼用して寝具本体２になっていたものである。一方、この足入れポケット３ｂは、敷き寝具又は掛け寝具よりも小さいサイズに形成されたものである。つまり、この足入れポケット３ｂでは、布体２ｂが足覆い布片１１とほぼ同様の小さいサイズに形成されている。布体２ｂの大きさ以外の点は、足入れポケット３ｂは足入れポケット付き寝具１（足入れポケット３）と同様に構成されている。
【００５１】
同図（ｂ）に示すように、布体２ｂは平坦な布材である。布体２ｂの大きさ、形状及び材質は任意である。敷き寝具、掛け寝具又は足覆い布片１１と同様の材質で形成すればよい。同図では、布体２ｂが長方形形状である例を示したがこれに限られず、丸形状、楕円形状、多角形形状であってもよい。同図では、布体２ｂが足覆い布片１１よりも若干大きなサイズで形成されている例を示しているが、足覆い布片１１と同じサイズで形成されていてもよいし、足覆い布片１１よりも若干小さいサイズで形成されていてもよい。
【００５２】
図５に、足入れポケット３ｂの使用状態を模式的に示す。同図は、敷き寝具９５、そこに横たわる就寝者９０、及び本考案の足入れポケット３ｂを横方向（側面方向）から観察した図である。同図には、就寝者９０に掛けられている掛け寝具９８を二点鎖線で図示している。
【００５３】
足入れポケット３ｂは、敷き寝具９５と掛け寝具９８との間で使用される。足入れポケット３ｂは、足覆い布片１１にギャザー１２〜１４が形成されているので、掛け寝具９８が掛けられても、ひだ部１５及びひだ部１６が潰れ難くひだ形状が維持されるので、暖気が溜まってとても暖かくなる。
【００５４】
就寝者９０は、足入れポケット３ｂを敷き寝具９５の上の任意の位置で使用することができる。足入れポケット３ｂを、安全ピン、ボタン、ベルト、又はゴムバンドなどの取付具を使用して、敷き寝具９５の任意の位置に固定するようにしてもよい。足入れポケット３ｂは、敷き寝具又は掛け寝具とは別体であるので、汚れた場合に単体で洗濯することができる。
【００５５】
なお、足入れポケット３ｂを、足入れポケット付き寝具１（図１参照）の足入れポケット３よりも小さいサイズで形成して、足入れポケット付き寝具１の足入れポケット３の中に入れて使用してもよい。
【００５６】
又、足入れポケット３ａ（図３参照）のように、足入れポケット３ｂの一方の横部２４（図４参照）を固定せず、開口させてもよい。
【００５７】
又、図４（ｂ）に布体２として平坦なものを使用した例を示したが、布体２は平坦なものに限られない。例えば、足覆い布片１１だけでなく、布体２にもギャザーを形成するようにしてもよい。例えば、ギャザー１２に対向する位置の布体２にギャザーを形成してもよいし、ギャザー１３に対向する位置の布体２にギャザーを形成してもよいし、ギャザー１４に対向する位置の布体２にギャザーを形成してもよい。
【符号の説明】
【００５８】
１・１ａは足入れポケット付き寝具、２は布体（寝具本体という場合もある）、２ｂは布体、３・３ａ・３ｂは足入れポケット、１１は足覆い布片、１２は第１のギャザー、１３は第２のギャザー、１４は第３のギャザー、１５・１６はひだ部、２１は入口部、２２は中間部、２３は奥部、２４は一方の横部、２５は他方の横部、４１・４２は矢印、９０は就寝者、９１は足（両足）、９５は敷き寝具、９８は掛け寝具、Ｃは寝具本体の長手方向の中心線、Ｐは足覆い布（足入れポケット）の中心線である。
【図１】
0003209110.tif 000003
【図２】
0003209110.tif 000004
【図３】
0003209110.tif 000005
【図４】
0003209110.tif 000006
【図５】
0003209110.tif 000007